(57)【特許請求の範囲】
【請求項１】
光ファイバによって接続された１次相互接続ノード（Ｍ）と２次相互接続ノード（Ｎ）を介して、「デュアルノードおよびブリッジアンドスイッチ」アーキテクチャでＭＳ共有保護リングネットワーク（ＲＩＮＧ１）とＳＮＣＰリングネットワーク（ＲＩＮＧ２）を相互接続するための方法であって、前記１次相互接続ノード（Ｍ）が、ドロップアンドコンティニュー（Ｄ＆Ｃ）操作を実施するための手段と、前記２次相互接続ノード（Ｎ）から前記光ファイバを通って該１次相互接続ノードに入る信号および前記ＳＮＣＰリングネットワーク（ＲＩＮＧ２）から該１次相互接続ノードに直接入る信号から一方の信号を選択するサービスセレクタ（ＳＳＭ）とを含み、
ＭＳ共有保護リングネットワークの１次ノード（Ｍ）のサービスセレクタ（ＳＳＭ）で、前記ＳＮＣＰリングネットワーク（ＲＩＮＧ２）を終端するステップを特徴とする方法。
【請求項２】
１次ノード（Ｍ）のサービスセレクタ（ＳＳＭ）で前記ＳＮＣＰリングネットワーク（ＲＩＮＧ２）を終端する前記ステップが、１次相互接続ノード（Ｍ）において実行される、
ＭＳ共有保護リングネットワーク（ＲＩＮＧ１）に入る、ＭＳ共有保護リングネットワーク（ＲＩＮＧ１）のソースノード（Ａ）からＳＮＣＰリングネットワークの宛先ノード（Ｈ）に送られる信号を受信するステップと、
宛先ノード（Ｈ）に達するように、前記ＳＮＣＰリングネットワーク（ＲＩＮＧ２）の方向にその信号をドロップし、且つ、１次ノードと２次ノード（Ｍ、Ｎ）を接続する光ファイバを利用することによって、宛先ノード（Ｈ）に達するように、２次相互接続ノード（Ｎ）の方向にその信号を継続するステップとを含む請求項１に記載の方法。
【請求項３】
１次ノード（Ｍ）のサービスセレクタ（ＳＳＭ）で前記ＳＮＣＰリングネットワーク（ＲＩＮＧ２）を終端する前記ステップが、１次相互接続ノード（Ｍ）において実行される、
前記ＳＮＣＰリングネットワーク（ＲＩＮＧ２）のソースノード（Ｈ）から来て、１次ノード（Ｍ）に直接入る信号と、
前記ＳＮＣＰリングネットワーク（ＲＩＮＧ２）のソースノード（Ｈ）から来て、２次ノード（Ｎ）を通過し、１次ノードと２次ノード（Ｍ、Ｎ）を結合している光ファイバを進むことによって、１次ノード（Ｍ）に入る信号と
から、前記サービスセレクタ（ＳＳＭ）によって１つの信号を選択するステップと、
サービスセレクタ（ＳＳＭ）によって選択された前記信号をＭＳ共有保護リングネットワーク（ＲＩＮＧ１）の宛先ノード（Ａ）に送信するステップとを含む請求項１または２に記載の方法。
【請求項４】
「デュアルノードおよびブリッジアンドスイッチ」アーキテクチャにおいてＭＳ共有保護リングネットワーク（ＲＩＮＧ１）とＳＮＣＰリングネットワーク（ＲＩＮＧ２）を、ネットワークエレメント（Ｍ）および２次ネットワークエレメント（Ｎ）を介して相互接続するための前記ネットワークエレメント（Ｍ）であって、前記ネットワークエレメント（Ｍ）が、
前記ＳＮＣＰリングネットワーク（ＲＩＮＧ２）のソースノード（Ｈ）から来て、ネットワークエレメント（Ｍ）に直接入る信号と、
前記ＳＮＣＰリングネットワーク（ＲＩＮＧ２）のソースノード（Ｈ）から来て、２次ネットワークエレメント（Ｎ）を通過し、ネットワークエレメント（Ｍ）と２次ネットワークエレメント（Ｎ）を接続する光ファイバを進むことによって、ネットワークエレメント（Ｍ）に入る信号と
から１つの信号を選択し、
前記選択された信号をＭＳ共有保護リングネットワーク（ＲＩＮＧ１）の宛先ノード（Ａ）に送信する、サービスセレクタ（ＳＳＭ）を含むことを特徴とする
ネットワークエレメント。
【請求項５】
コンピュータプログラムがコンピュータで実行されているとき、請求項１および２および３のすべてのステップを実行するように構成されたコード手段を含むコンピュータプログラム。
【請求項６】
プログラムが記録されているコンピュータ可読媒体であって、前記プログラムがコンピュータで実行されているときに請求項１および２および３のすべてのステップを実行するように構成されたコード手段を含むコンピュータ可読媒体。
【発明の詳細な説明】
【０００１】
【発明の属する技術分野】
本発明は、一般に遠隔通信ネットワークに関し、詳細には、ＭＳ−ＳＰＲＩＮＧネットワークと上位ＳＮＣＰリングネットワークの間の相互接続に関する。
【０００２】
【従来の技術】
現代の遠隔通信ネットワークでは、サービスの機能性を損なうことなく、ネットワーク自体に発生した故障を修復できることが非常に重要になってきている。したがって、リングアーキテクチャがますます使用されるようになってきており、さらに、通信ネットワークには、一般に、その構成要素に起こりうる故障に対する保護手段が設けられている。
【０００３】
ＳＤＨ  ＭＳ−ＳＰ（多重化セクション共有保護）ＲＩＮＧネットワークでは、たとえば、接続ファイバで万一障害が発生すると、自動トラフィック修復を可能にする分散型保護機構が実施される。すなわち、ＭＳ−ＳＰリングネットワークは、各リングのノードで実行される前記トラフィックの同期再経路指定によって自動トラフィック修復を実施する。この操作は、隣接ノード間で連続的に交換されるメッセージから構成されるプロトコルによって制御される。前記プロトコルおよび関連する操作は、ＡＮＳＩ、ＩＴＵ−Ｔ、およびＥＴＳＩから発効されるいくつかの国際標準によって定義され、特定の規則およびメッセージ集によって特徴付けられる。たとえば、ＩＴＵ−Ｔ勧告Ｇ．８４１を参照されたい。
【０００４】
ＳＮＣＰリングネットワーク（前述のＩＴＵ−Ｔ勧告Ｇ．８０５の定義３．３１参照）は、サブネットワーク（ここで「サブネットワーク」とは、特定の特徴的な情報の経路指定を実行するために使用されるトポロジーの構成要素を意味する）の接続ポイントを拡張することによって生成されるサブレイヤによって形成される、タイプの保護機構を持つリングネットワークである。
【０００５】
最も重要なネットワークアーキテクチャの１つは、「デュアルノードおよびドロップアンドコンティニュー」アーキテクチャ、すなわち、各リングの２つのノードが相互接続されているアーキテクチャを使用する、リングネットワークの相互接続によって構成されている。この「ドロップアンドコンティニュー」機能は、ノード内で実施される機能であり、トラフィックはリング上の作業チャネルからドロップされ、同時にリングを介して継続される。
【０００６】
従来の解決法は、ＳＴＭ−Ｎインタフェースを介して相互接続される４つのネットワークエレメントまたはノード（１つのリングに２つ、もう１つのリングに２つ）を提供する。しかし、実質的に２つのノードを統合し、リング終端装置として動作する大きなＡＤＭ（アッドドロップマルチプレクサ）またはＤＸＣ（デジタルクロス接続）を使用することによって、相互接続ノードの全体の数を２つに低減することが可能である。この場合、相互接続は、ＳＴＭ−Ｎインタフェースを使用せずに、ネットワークエレメントマトリックスで行われる。
【０００７】
「デュアルノードおよびドロップアンドコンティニュー」アーキテクチャは、ＩＴＵ−Ｔ勧告Ｇ．８４２から知られるが、このような勧告は、４つの別個の相互接続ノードの場合しか規定していない。たとえ２つのノードを１つに統合しようとしても（したがって、ＳＴＭ−Ｎインタフェースの使用を回避する）、管理の観点からすると、各回路に対して、いずれにしても３つのセレクタが使用され、管理されるので、この解決法は同様に不都合である。２つのノードが１つに統合されるこの可能な解決法のもう１つの欠点は、使用されるファイバと帯域の活用の点で高価であるということである。
【０００８】
【発明が解決しようとする課題】
知られている解決法とその欠点からみて、本発明の主目的は、２つのノードだけを使用し、知られている解決法の管理の複雑さを回避することによって、ＭＳ共有保護リングとデュアルノードおよびドロップアンドコンティニューの上位ＳＮＣＰリングとの間の相互接続アーキテクチャを示すことである。
【０００９】
本発明のさらなる目的は、使用される光ファイバと帯域の点からみて高価でない、前述のタイプのアーキテクチャを提供することである。
【００１０】
これらの目的とさらなる目的は、独立クレーム１に記載の方法および独立クレーム２に記載のネットワークエレメントによって達成される。本発明のさらなる有利な特徴は、それぞれの従属クレームに記載されている。
【００１１】
【課題を解決するための手段】
本発明の基本理念は、ＭＳ共有保護リングのサービスセレクタで直接にＳＮＣＰリングを終端することにある。
【００１２】
本発明は、限定的ではない単なる例示によって与えられる、添付の図面を参照して読まれる以下の詳細な説明を見れば、確実に明らかになるだろう。
【００１３】
【発明の実施の形態】
いくつかの図面を通して、類似の部分または機能上同等の構成要素を示すために、同じ参照番号を使用する。様々な図面では、ノードまたはネットワークエレメント（Ｃ、Ｄ、Ｅ、Ｆ；Ｍ、Ｎ）を介して接続されている４ファイバＭＳ共有保護リングネットワーク（ＲＩＮＧ１）とＳＮＣＰリングネットワーク（ＲＩＮＧ２）を常に示す。図１および２のノードＣ（図３から５のノードＭ）はＭＳ共有保護リングの１次ノードとみなされ、図１および２のノードＤ（図３から５のノードＮ）はＭＳ共有保護リングの２次ノードとみなされる。ＲＩＮＧ１では、（保護された）作業ファイバが灰色の「管」によって示され、保護ファイバは白の「管」によって示される。様々な経路を、方向を明示するために矢印を付した実線の太線で示す（ＩＴＵ−Ｔ勧告Ｇ．８４２に実質上準拠する）。ＲＩＮＧ１を４ファイバリングとして示すことは、表示上の実際的な理由から単に指示されたことであって、同じ概念は、当然、２ファイバリングにも当てはまる。
【００１４】
図１を参照すると、ソースノードＡから宛先ノードＨへの保護された経路は、ＡからＣ（１次ノード）への作業ファイバを使用し、ドロップアンドコンティニュー（Ｄ＆Ｃ）機能がＣで実行され、すなわちトラフィックがＲＩＮＧ２のノードＥの方向にドロップされるが、トラフィックは２次ノードＤの方向にも通過する。次いで、トラフィックは、ノードＥからノードＧ（通過を許可する）を通過して宛先ノードＨに達する。同時に、継続するトラフィックも、ノードＤからノードＦを通過して宛先ノードＨに達する。ノードＨには、（経路状況に基づいて）一方の側から着信する経路または他方の側から着信する経路を選択する経路セレクタ（ＰＳＨ）がある。
【００１５】
図２に、ＨからＡへの経路を持つ同じアーキテクチャを示す。経路は、Ｈ（ソースノード、ＲＩＮＧ２）からＡ（宛先ノード、ＲＩＮＧ１）に進む。信号はノードＨから、１）Ｇに進んでＥに達し、そこでｉ）ドロップされ、経路セレクタ（ＰＳＥ）に送信され、ｉｉ）ノードＦのサービスセレクタ（ＳＳＦ）の方向に継続され、また、２）ノードＦに進み、そこでｉｉｉ）サービスセレクタＳＳＦの方向にドロップされ、ｉｖ）ノードＥの経路セレクタＰＳＥの方向に継続される。経路は、ノードＥの経路セレクタＰＳＥからノードＣのサービスセレクタＳＳＣに通過する。同様に、経路は、ノードＦのサービスセレクタＳＳＦから、ノードＤおよびノードＣのサービスセレクタＳＳＣに通過する。サービスセレクタＳＳＣは、２つの信号の１つを選択し、それを宛先ノードＡに送信する。
【００１６】
この知られている解決法は、相互接続用の４つのノードと、各対になったノード間に相互接続を確立するための帯域幅と、従属ポートとを使用するという欠点を有する。
【００１７】
図３および４のアーキテクチャは、図１および２のアーキテクチャと機能的に類似しているが、ネットワークエレメントＣおよびＥは、単一のネットワークエレメントＭ（ＡＤＭまたはＤＸＣ）に統合される。同様の議論は、Ｎに統合されるノードＤおよびＦにも当てはまる。この場合、装置と相互接続インタフェースの両方を低減することでは有利であるが、３つのセレクタ（うち２つ（ＳＳＭ、ＰＳＭ）は同じマトリックス）を管理すべきこと、１次ノードと２次ノードとの間のファイバが最適の方法で使用されないこと、使用されない帯域幅があることの不都合が生ずる。
【００１８】
図５を参照しながら、本発明のアーキテクチャの説明を始める前に、ＭＳ共有保護リングネットワークにおける１次ノードおよびサービスセレクタ（ＳＳ）の概念を簡単に説明する。１次ノードは、サービスセレクションおよびドロップアンドコンティニュー（Ｄ＆Ｃ）機能を従属ノードに提供するノードである。当然、異なる従属ノードは、指定された異なる１次ノードを有しうる。サービスセレクタ（ＳＳ）は、リング相互接続のために使用されるノードの機能である。これは、ある基準に従って、ノードの一方から入るチャネルからのトラフィック、またはリングに入るトラフィックを選択する。
【００１９】
容易に知られようが、本発明のアーキテクチャは、２つの接続ノード（ＭおよびＮ）だけによって実現される「デュアルノードおよびドロップアンドコンティニュー」を採用する。ＭＳ共有保護リングの１次ノードであるノードＭは、サービスセレクタ（またはブリッジアンドスイッチセレクタ）ＳＳ’Ｍを備え、このセレクタだけがＨＯ  ＳＮＣＰリングを終端するために使用される。
【００２０】
したがって、ノードＡからＭＳ共有保護リングネットワーク（ＲＩＮＧ１）に入る経路は、１次相互接続ノードＭに達し、そこでマトリックス内のＳＮＣＰリング（ＲＩＮＧ２）の方向にドロップされ、中間ノードＧを通過し、宛先ノードＨの経路セレクタ（ＰＳＨ）に達する。ネットワークエレメントＭでは、経路は、２次相互接続ノードＮの方向にも継続され（Ｄ＆Ｃ）、その２つの経路のどちらがドロップされるかを選択する宛先ノードＨの経路セレクタ（ＰＳＨ）に達する。
【００２１】
ＨからＡへの経路は、ノードＧと２次ノードＮの両方を通過し、またＭＳ共有保護リングのファイバスパンＮ−Ｍを使用することによって、ＳＮＣＰリング（ＲＩＮＧ２）を双方向に縦断し、１次ノードＭのサービスセレクタ（ＳＳＭ）に達する。１次ノードＭのサービスセレクタ（ＳＳＭ）は、２つの信号の１つを選択し、それを宛先ノードＡに送信する。
【００２２】
この解決法の最も明白な利点は、相互接続ノード間のＲＩＮＧ２のファイバスパンがなくなることである。さらなる利点は、使用されるＳＴＭ−Ｎポートの数が低減される（各ネットワークエレメント用の対のＩ／Ｏポートが省かれる）ことである。
【００２３】
さらなる重要な利点は、ネットワークマネージャおよびネットワークエレメントが管理しなくてはならないセレクタの数が、３つ（最新技術の配置）から１つになることである。これらすべては、当然ながら、あらゆる環境下において、中断に対する信頼性を損なうものではない。
【００２４】
１次ノードと２次ノードの機能は、ハードウェアおよびソフトウェアの両方で実施することができる。したがって、本発明は、前記コンピュータプログラムがコンピュータで実行されているときに、この方法のすべてのステップを実行するように構成されるコード手段を含むコンピュータプログラムを含む。本発明は、プログラムを記録したコンピュータ可読媒体も含み、前記コンピュータ可読媒体は、前記プログラムがコンピュータで実行されているときにその方法のすべてのステップを実行するように構成されるコード手段を含む。
【００２５】
新しいネットワークアーキテクチャを、ＭＳ共有保護リングとＳＮＣＰリングを有利に接続するために説明した。これはすべての意図された目的を達成するものである。しかし、この説明とその好ましい実施形態を示す添付の図面を考慮すると、当業者には、本発明の多くの変更形態、修正形態、変形形態、および異なる使用法が明らかになろう。本発明の趣旨および範囲を逸脱せず、このような変更形態、修正形態、変形形態、および異なる使用法は、頭記の特許請求の範囲によってのみ限定される本発明によってカバーされるように保持される。
【図面の簡単な説明】
【図１】ノードＡからノードＨの経路を持つ４つのネットワークエレメントで実行されるデュアルノードおよびドロップアンドコンティニューアーキテクチャで、ＳＮＣＰリングと相互接続されているＭＳ共有保護リングを示す図である。
【図２】図１に類似しているが、経路が反対方向である、すなわちノードＨからノードＡである、図である。
【図３】ノードＡからノードＨの経路を持つ２つだけのネットワークエレメントで実現されるデュアルノードおよびドロップアンドコンティニューアーキテクチャで、ＳＮＣＰリングと相互接続されているＭＳ共有保護リングを示す図である。
【図４】図３に類似しているが、経路が反対方向である、すなわちノードＨからノードＡである、図である。
【図５】本発明によるデュアルノードおよびドロップアンドコンティニューアーキテクチャで、ＳＮＣＰリングと相互接続されているＭＳ共有保護リングを示す図である。
【符号の説明】
Ｃ、Ｄ、Ｅ、Ｆ  ノード
Ｍ  １次相互接続ノード
Ｎ  ２次相互接続ノード
ＲＩＮＧ１  ４ファイバＭＳ共有保護リングネットワーク
ＲＩＮＧ２  ＳＮＣＰリングネットワーク
【図１】
0004420583.tif 000002
【図２】
0004420583.tif 000003
【図３】
0004420583.tif 000004
【図４】
0004420583.tif 000005
【図５】
0004420583.tif 000006